(57)【特許請求の範囲】
【請求項１】
シャフト（１５）に相対回動不能に取り付けられた、外周面にコーミング針布（Ｇ）を支持する基体（１８，２０）を備え、
前記シャフトの半径方向で見て、前記シャフト（１５）の、前記コーミング針布（Ｇ）とは反対の側に、質量補償エレメント（ＡＧ，ＡＧ１）が取り付けられている、コーミング機械用の円形コーム（Ｒ）であって、
前記基体（２０）は、中空成形体から成っており、
該中空成形体は、前記コーミング針布（Ｇ）を収容するための外側の円弧形の部分（２３）と、該外側の部分（２３）とは反対の側に位置する内側の部分（２２）とを有し、
該内側の部分（２２）は、前記シャフト（１５）の方向で開いた半円状の窪み（２１）を有し、
該窪み（２１）は、前記中空成形体（２０）の長手方向の全長に亘って延び、かつ該窪み（２１）を介して、前記基体（２０）の全長に亘って、前記基体（２０）が前記シャフト（１５）に支持されており、
前記基体（２０）と、前記質量補償エレメント（ＡＧ１）とを、前記シャフト（１５）の長手方向に対して横方向で互いに対して緊締させる取付け手段（Ｓ３）が設けられていることを特徴とする、コーミング機械用の円形コーム。
【請求項２】
前記質量補償エレメント（ＡＧ１）は、前記シャフト（１５）の方向を向いた凹状の部分（２５）を有し、該凹状の部分（２５）を介して、前記質量補償エレメント（ＡＧ１）は前記シャフト（１５）の部分周面に載置されている、請求項１記載の円形コーム。
【請求項３】
前記基体（２０）の前記中空成形体は、前記基体（２０）の長手方向に、かつ前記中空成形体内に延びるリブ（Ｒ２，Ｒ３，Ｒ５，Ｒ６）を備え、該リブ（Ｒ２，Ｒ３，Ｒ５，Ｒ６）は、前記中空成形体を三角形の中空スペース（Ｈ１，Ｈ２，Ｈ３，Ｈ５，Ｈ６）に分割している、請求項１または２記載の円形コーム。
【請求項４】
前記シャフト（１５）は、該シャフト（１５）の長手方向軸線に対して直交する横方向に延びる複数の貫通開口（２７）を備え、該貫通開口（２７）を前記取付け手段（Ｓ３）が貫通する、請求項１から３までのいずれか１項記載の円形コーム。
【請求項５】
前記取付け手段は、ねじ（Ｓ３）であり、該ねじ（Ｓ３）は、前記中空成形体（２０）に設けられたねじ山付き孔（３１）内に突入する、請求項４記載の円形コーム。
【請求項６】
前記中空成形体（２０）内に、前記内側の部分（２２）の領域で、前記取付け手段（Ｓ３，Ｓ３ａ）を収容するためのねじ山付き孔（４５）を備えた少なくとも１つの付加的な手段（４６）が支承されており、該付加的な手段（４６）は、前記中空成形体（２０）よりも高い強度を有している、請求項４記載の円形コーム。
【請求項７】
前記取付け手段は、ねじ（Ｓ３，Ｓ３ａ）であり、該ねじのうちの少なくとも１つのねじ（Ｓ３ａ）が、合わせねじ（Ｓ３ａ）であり、該合わせねじ（Ｓ３ａ）のねじ軸部（５２）は、前記質量補償エレメント（ＡＧ１）、前記シャフト（１５）および前記基体（２０）に設けられた合わせ孔（４８，４９，５０）を貫通し、前記合わせねじの端部に設けられたねじ山付きピンが、前記付加的な手段（４６）の前記ねじ山付き孔（４５）内に収容される、請求項６記載の円形コーム。
【請求項８】
前記中空成形体（２０）および前記質量補償エレメント（ＡＧ１）の外面は、閉じられた１つの周面を形成する、請求項１から３までのいずれか１項記載の円形コーム。
【請求項９】
前記基体（２０）の前記中空成形体は、アルミニウム押出し成形体である、請求項１から８までのいずれか１項記載の円形コーム。
【請求項１０】
前記質量補償エレメント（ＡＧ１）および前記シャフト（１５）は、溝（３３）を備えており、該溝（３３）を介して、前記質量補償エレメント（ＡＧ１）は、前記シャフト（１５）に関して、キー（３３）を使用することで、前記シャフト（１５）の周方向で決められた位置に位置決めされる、請求項２記載の円形コーム。
【請求項１１】
前記中空成形体（２０）および前記質量補償エレメント（ＡＧ１）の外面は、閉じられた１つの周面を形成し、
前記中空成形体（２０）の両端部に、前記中空スペース（Ｈ１−Ｈ５）を閉じるカバー（３８，３９）が取り付けられている、請求項３記載の円形コーム。
【請求項１２】
前記質量補償エレメント（ＡＧ１）は、付加的な取付け手段（Ｓ２）を介して前記シャフト（１５）に結合されている、請求項４記載の円形コーム。
【請求項１３】
前記円形コーム（Ｒ）の回転方向（Ｌ）で見て、前記基体（２０）の前記外側の部分（２３）の厚み（ｄ１，ｄ２）は、段状（Ａ１）に減少するように形成されている、請求項１から１２までのいずれか１項記載の円形コーム。
【請求項１４】
前記基体（２０）の前記外側の部分（２３）の、前記コーミング針布（Ｇ）を支持する周面（Ｕ）は、少なくとも１つの段部（Ａ１）を有しており、該段部（Ａ１）に、前記コーミング針布（Ｇ）に設けられた段部（Ｚ１）が向かい合っている、請求項１３記載の円形コーム。
【発明の詳細な説明】
【技術分野】
【０００１】
本発明は、相対回動不能にシャフトに取り付けられた、外周面にコーミング針布を支持する基体を備え、シャフトの半径方向で見て、当該シャフトの、コーミング針布とは反対に位置する側に質量補償エレメントが取り付けられている、コーミング機械用の円形コームに関する。
【０００２】
このような種類の円形コームは、供給された繊維塊（木綿、羊毛等）をコーミングするコーミング機械もしくはコーマのために使用される。この場合、繊維塊の供給は、巻管に巻き取られたラップウェブ（単に巻成体ともいう）の形で、または個別の繊維束の形で行われ得る。
【０００３】
コーミング動作数もしくはニップ数（コーミング動作／分）は、近年大幅に高められ、このことは生産性の向上をも伴う。
【０００４】
システムをより良好にコーミング工程に合わせるために、たとえば円形コームがもはや連続的な回転数を有するのではなく、不連続な回転運動で駆動される場合に、このような円形コームに課される要求も増大した。このような態様は、たとえば特許公告昭５８−５７５２９号公報に示され、記載されている。
【０００５】
この不連続の運動により、特に、円形コームの比較的大きな質量を加速もしくは減速しなければならない場合に、円形コームの駆動部に高い要求が課される。
【０００６】
コーミング機械用に使用される円形コームは、円形コーム支持体を有している。この円形コーム支持体は、緊締ハブを有している。この緊締ハブによって、円形コーム支持体は駆動される円形コームシャフトに相対回動不能に取り付けられている。円形コーム支持体の部分周面には、コーミングセグメントが取り付けられている。このコーミングセグメントにより、ニッパユニットから供給された繊維塊（繊維房とも呼ばれる）の端部がコーミングされる、もしくはくしけずられる。
【０００７】
このような装置は、公開されたドイツ連邦共和国特許出願公開第１０１６３６６３号明細書およびドイツ連邦共和国特許第２５０３９７６号明細書から判る。
【０００８】
コーミングセグメントは、複数の部材から組み立てられていてよい。この場合、たとえば、コーミング針布が取り付けられる基体が設けられていてよい。この場合、基体は、円形コーム支持体に着脱可能に結合されている。複数のコーミングセグメントが存在していることも可能である。
【０００９】
コーミングセグメントは、片側で円形コーム支持体に取り付けられているので、釣合わせ（バランシング）のために、コーミングセグメントとは反対の側で、質量補償部が必要となる。これにより、不釣合い（アンバランス）が生じないか、もしくは質量振動（Massenschwingungen）を回避することができる。従来使用された解決手段では、円形コーム支持体が鋳造部分として製造されており、この鋳造部分は、コーミングセグメントの取付け箇所とは反対の側で付加質量体を備えている。
【００１０】
この態様では、コーミングセグメントの質量が補償されるが、このように形成された円形コーム支持体自体が、大きく重い質量を有していて、この質量は、不連続な円形コーム運動に際して、常時加速および減速されなければならない。円形コームの不連続の回転数を用いることにより、高いコーミング動作数で作業することが可能になる。この場合に発生する加速および減速は、付加的な負荷を駆動ユニットに与える。この場合、さらに不都合な場合には、装置の不都合な振動をもたらし、このことは装置の寿命を減じ得る。
【００１１】
コーミング作用を高めるために、１３０°以上の円周角にわたって延びるコーミングセグメントが提案された。このようなコーミングセグメントは、公開された欧州特許１３８３９４８号に記載されている。コーミング作用を高めることにより、コーミング針布が取り付けられる基体の質量も増大する。
【００１２】
英国特許第２０５１２８号明細書から、円形コームの１態様が公知である。この場合、コーミング針布を支持する基体は、一体的に、つまりワンピースに形成されており、両端部において、直接に円形コームシャフトに支持されている。カウンタウェイトのフランジを貫通するねじによって、基体は円形コームシャフトに緊締される。
【００１３】
この場合、カウンタウェイトは、鞍状の付設部を備えている。この付設部を介して、カウンタウェイトは、円形コームシャフトに被せ嵌められかつねじを介して円形コームシャフトに緊締される。鞍状の付設部は、基体の両支持端部の間に位置している。これにより、基体の中間領域は、支持を有していない。コーミング針布の先端と、下側のニッパプレートとの間の間隔は、コーミング位置では極めて小さく維持されなければならない。これにより、閉じられたニップから突出する、コーミングすべきタフトはほぼ完全に捕捉され得る。つまり、基体の寸法精度をこの中間領域においても保証し、ひいてはコーミング挙動をコーミング針布の全幅にわたって一定に維持するためには、基体は、英国特許第２０５１２８号明細書による態様では、比較的中実に形成されなければならない。このことは、質量慣性モーメントが極めて大きく形成される結果をもたらし、このことは、特に今日のように、高いコーミング動作数と不連続の回転数を以て作業される場合に、形成されるべきエネルギと支承箇所とに不都合に作用する。英国特許２０５１２８号の公開の時点（１９２３年）には、運転されるコーミング動作数は数倍も小さく、したがってこの領域における質量慣性モーメントはあまり重要ではなかった。
【００１４】
したがって、本発明の根底を成す課題は、公知の解決手段を改善して、回転数が高い場合にも公知の解決手段に比べて小さな質量慣性モーメントを有する円形コームを提案することである。同時に、円形コームの一定の安定性が、当該円形コームの全幅にわたって保証されることが望ましい。
【００１５】
上記課題を解決した本発明の構成によれば、基体が中空成形体から成っていて、該中空成形体が、コーミング針布を収容するための外側の円弧状の部分と、該コーミング針布とは反対の側に位置する内側の部分とを備え、内側の部分が、シャフトの方向に向かって開いた半円形の窪みを備え、該窪みは、中空成形体の長手方向に延び、かつ該窪みを介して基体がシャフトに支持されており、取付け手段が設けられており、該取付け手段により、基体と質量補償エレメントとが、シャフトの長手方向に対して直交する横方向で互いに緊締される。
【００１６】
基体のこの構造形式によって、特に円形コームシャフトの回転軸線に関して外側に位置する、コーミング針布を支持する領域で、成形体の厚みを小さく保つことができ、さらに成形体が、その全長にわたって円形コームシャフトに支持されているということが実現される。したがって、この領域における質量、ひいては質量慣性モーメントは、小さく維持され得る。これによって、円形コームにおけるコーミング針布の円周角を、公知の解決手段に対して増大させることができ、この際に公知の解決手段に対して質量慣性モーメントの大幅な増大が生じることはない。
【００１７】
さらに、質量補償エレメントがシャフトの方向を向いた凹状の部分を有していることが提案される。この凹状の部分を介して、質量補償エレメントはシャフトの部分周面に載置されている。したがって、コンパクトな構造形式が得られ、この場合、ベースエレメントの成形体と質量補償エレメントとは、円形コームシャフトの周囲を取り囲むことができ、両エレメントは組み立てられて、円形コームシャフトを取り囲む閉じられた１つのユニットを形成することができる。
【００１８】
有利には、基体の中空成形体が、その長手方向にかつ中空成形体内に延びるリブを備えていることが提案されている。これらのリブは、中空成形体を三角形の中空スペースに分割する、つまり中空成形体内において三角形の複数の中空スペースを形成している。したがって、中空成形体の肉厚を小さく維持することができる。なぜならば、力の伝達が、三角形の中空スペースを介して（平衡状態およびハニカム状の配置により）最適に、円形コームシャフトへの支持部に伝達され得るからである。シャフトが、当該シャフトの長手方向軸線に対して直交する横方向に延びる複数の貫通開口を備え、これらの貫通開口を取付け手段が貫通するという別の提案により、取付け手段がシャフトの回転軸線を貫通するので、質量慣性モーメントは、取付け手段の取付けによって僅かにしか高められないことが保証される。
【００１９】
有利には、取付け手段はねじである。このねじは、中空成形体のねじ山付き孔内に突入する。このことは、円形コームシャフトへの中空成形体およびカウンタウェイトの単純かつ確実な取付けを可能にする。この場合、ねじによる力導入は、中空成形体とカウンタウェイトとが円形コームシャフトに載置されている緊締面の領域で直接に行われる。
【００２０】
質量慣性を低い水準に維持するために、基体の中空成形体は、小さな比重を有する材料から製造される。基体の中空成形体は、たとえば、アルミニウムの押出し成形体から製造されていてよい。
【００２１】
ねじ山付き孔が、取付けエレメント（たとえばねじ）を直接収容するためにこの部材に設けられている限り、大きな引っ張り力をねじ山付き孔内で受容しなければならない場合、このねじ山付き孔内で変形をもたらすことがある。この変形を排除するためには、中空成形体の内側で、内側の部分の領域に少なくとも１つの付加的な手段が支承されていることがさらに提案される。この付加的な手段は、取付け手段を収容するねじ山付き孔を備えていて、この場合、付加的な手段は、中空成形体よりも高い強度を有していてよい。
【００２２】
円形コームシャフトにおける基体と質量補償エレメントとの角度位置を位置固定するためには、取付け手段がねじであり、複数のねじのうちの少なくとも１つのねじが、位置合わせねじもしくは合わせねじ（Passschraube：ダウエル部分を有するねじ）であり、該合わせねじのねじ軸部は、質量補償エレメントと、シャフトと、基体とに設けられた位置合わせ孔もしくは合わせ孔（Passbohrung：ダウエル部分が嵌合する穴）を貫通することがさらに提案される。この場合、合わせねじの端部に設けられたねじ山付きピンは、付加的な手段のねじ山付き孔内に収容される。
【００２３】
円形コームの外側輪廓による制御されない空気流を発生させないように、かつ円形コーム自体を汚染物（浮遊繊維）に対して保護するために、中空成形体と、質量補償エレメントの外側面は閉じられた周面を形成していることがさらに提案される。
【００２４】
旋回可能なニッパユニットに対するコーミングセグメントと補償エレメントとの正確な位置決めを維持することができるように、質量補償エレメントと、シャフトが溝を備えていて、該溝を介して、質量補償エレメントが、シャフトに対して、キーの使用により、シャフトの周方向で決められた位置に位置決めされることが提案される。したがって、円形コームシャフトの角度位置およびニッパユニットの駆動シャフトの位置とは、互いに対して正確に調整され得る。
【００２５】
中空成形体の内室を清潔に保つために、中空成形体の両端部に、中空スペースを閉じるカバーが取り付けられていることが提案されている。
【００２６】
基体の中空成形体を、（たとえば交換のために）質量補償エレメントから独立して円形コームシャフトから取り除くことができるように、質量補償エレメントが、付加的な取付け手段を介してシャフトに結合されていることが提案されている。つまり、質量補償エレメントおよび基体を円形コームシャフトに対して緊締している取付け手段の取外し後に、基体を円形コームシャフトから取り除くことができるのに対して、質量補償エレメントは、付加的な取付け手段により未だ円形コームシャフトに保持されている。これにより、組付けおよび取外しが容易にされる。
【００２７】
質量慣性モーメントを減少させるために、さらに、円形コームの回転方向で見て、基体の外側の部分の厚みが段状に減じられるように形成されていることが提案される。
【００２８】
このことは有利には、基体（２０）の外側の部分（２３）の、コーミング針布（Ｇ）を支持する周面（Ｕ）が少なくとも１つの段部（Ａ１）を有しており、該段部（Ａ１）に、コーミング針布（Ｇ）に設けられた段部（Ｚ１）が向かい合っていることが提案されることにより達成される。この場合、段部の高さは、連続する針布区分の異なる歯たけに適合されている。
【００２９】
高い回転数で回転する円形コームの特に外側の領域における質量のあらゆる削減は、質量慣性モーメントの減少に著しく作用を及ぼす。このことは特に、円形コームが不連続の回転数で駆動され、ひいては駆動部が加速及び減速にさらされる場合に特に利点となる。
【００３０】
本発明の別の利点は以下の実施の形態に詳細に示し、かつ説明する。
【図面の簡単な説明】
【００３１】
【図１】コーミング機械のコーミングヘッドを示す概略的な部分側面図である。
【図２】本発明により形成された円形コームの概略的な側面図である。
【図３】図２に示した円形コームのＸ方向からの側面図である。
【図４】図２に示した態様の別の態様を示す図である。
【図４ａ】図４に示した態様のさらに別の態様を示す図である。
【図５】図４および図４ａに示した態様のさらに別の態様を示す部分図である。
【図５ａ】図５に示した態様を拡大した部分図である。
【００３２】
図１は、コーミング機械もしくはコーマに設けられたコーミングヘッドＫの概略的な側面図を示している。公知のコーミング機械では、たとえば、このようなコーミングヘッドＫが８つ、相並んで配置されている。構成要素のうち一部しか図示されていないコーミングヘッドＫは、ニッパ（把持）ユニット１を有している。このニッパユニット１は、旋回アーム９，１２を介して軸１０，１５を中心として往復するように旋回可能に、コーミング機械のフレーム内に支承されている。ニッパシャフトとも呼称される軸１０は，駆動部（図示せず）により駆動され、これによりニッパユニット１に往復運動を与える。軸１５は、円形コームシャフトに相当し、この円形コームシャフトに、円形コームＲが相対回動不能に取り付けられている。中心軸線Ａを有する円形コームシャフト１５も、１つの駆動部（図示せず）により連続的にまたは不連続に駆動される。ニッパユニット１の下方で円形コームシャフト１５に取り付けられた円形コームＲは、図示された公知の態様では、互いに対して間隔を空けて円形コームシャフト１５に堅固に取り付けられた２つのハブＮ１，Ｎ２を有している。円形コームＲの外周面には、一方では基体１８が、他方では質量補償エレメントＡＧが取り付けられている。質量補償エレメント（単に「補償エレメント」とも呼称される）の取付けは、概略的に示されているように、ねじＳを介して行われる。これらのねじＳを介して、質量補償エレメントはハブＮ１，Ｎ２に取り付けられている。基体１８は、同様に概略的に示されたねじＳ１を介してハブＮ１，Ｎ２に堅固に結合されている。補償エレメントＡＧと同様に円形コームＲの全幅Ｂにわたって延びる基体１８には、針布（Garnitur）Ｇが取り付けられている。角度αで示された、コーミング針布Ｇの角度は、公知のコーミング機械の場合、約９０度であり、コーミング角とも呼称される。
【００３３】
ニッパユニット１は、ニッパフレーム５から形成され、このニッパフレーム５には下側のニッパプレート６が取り付けられている。ニッパフレーム５上には、旋回アーム３と上側のニッパプレート（ニッパナイフ）２とが旋回軸線４を中心として旋回可能に支承されている。図示の実施の形態では、ニッパユニット１は閉じられている。この場合、ニッパユニット１のニップ箇所から突出するタフトもしくは繊維房ＦＢは、針布Ｇにより捕捉されて、くしけずられる。旋回アーム３には、付勢手段（図示せず：たとえば、ばね）が作用していて、この付勢手段は、一方では上側のニッパプレート２の旋回運動を制御し、他方ではニッパユニット１のニップ箇所において必要となる把持力を形成する。同じくニッパフレーム５において、下側のニッパプレート６の上方にはフィードローラ１６が回転可能に支承されている。このフィードローラ１６は、たとえばラチェット駆動装置（図示せず）によりステップ式に駆動される。このフィードローラ１６を介して、ニッパユニット１に供給されたラップＷ（または個別の繊維束）が、ニッパユニット１のニップ箇所に供給される。タフトＦＢのコーミング工程が行われた後に、ニッパユニット１は、後続のデタッチングローラ対ＡＷの方向に向かって平行四辺形リンク運動のように旋回される。この旋回工程時に、ニッパユニット１は開放し、ラップもしくはタフトＦＢのくしけずられた端部は、先に形成された繊維フリースＶの端部Ｅに載置されて、デタッチングローラＡＷのニップ箇所の作用を受けて、この繊維フリースＶに重ね合わされて、搬送方向Ｆに搬送される。
【００３４】
図２は、本発明により形成された円形コームＲの１形態を示している。この場合、図２に示された基体２０は、中空成形体として形成されている。この中空成形体は、半円形の窪み２１を介して円形コームシャフト１５の部分周面に支持されている。窪み２１は、基体２０の内側の部分２２に位置している。この内側の部分２２に、リブＲ１〜Ｒ４を介して外側の部分２３が支持されている。リブＲ１〜Ｒ４と、内側および外側の部分２２，２３との間には中空スペースＨ１〜Ｈ３が形成される。たとえば図３から判るように、窪み２１は、円形コームＲの全幅Ｂにわたって円形コームシャフト１５の周面に載置されている。部分２２，２３およびリブＲ１〜Ｒ４も、円形コームＲの幅Ｂにわたって延びている。基体２０の質量を付加的に減じるために、リブＲ１〜Ｒ４が、円形コームＲの幅Ｂにわたって分配された破断部もしくは開口を備えていることも考えられる。このことは、場合によっては付加的な製造ステップを必要とする。
【００３５】
基体２０を中空成形体としての図示のように形成することによって、基体２０の要求された安定性および強度が大幅に減じられることなしに、特に基体２０の外側の部分２３の厚みｄを小さく形成することができる。これによって、基体２０は、円形コームシャフト１５の回転軸線Ａから最も離れている領域（外側の部分２３）において、比較的小さな質量で形成され得る。したがって、質量慣性モーメントも大幅に減じられる。これにより、コーミング角α１を、公知の解決手段におけるコーミング角（α）に比べて拡大することができ、この場合に、公知の解決手段と較べて質量慣性モーメントの増大をもたらすことはない。つまりたとえば、９０°の大きさのコーミング角αを有する図１に示した形態における質量慣性モーメントをさらに増大させることなしに、角度α１を、１３０°以上に拡大することが可能となる。基体２０の外側の部分２３の外周面Ｕに、コーミング針布Ｇが取り付けられている。
【００３６】
この例では、基体２０は、内側の部分２２の領域でＶ字形に形成されている。つまり、窪み２１から外方に向かって延びるウェブ２２ａ，２２ｂが、質量補償エレメント（単に「補償エレメント」とも云う）ＡＧ１用のＶ字形の収容部を形成する。この場合、質量補償エレメントＡＧも、同様にシャフト１５の部分周面に、前記幅Ｂにわたって載置されている。補償エレメントＡＧ１の外側輪廓と、ウェブ２２ａ，２２ｂとの間には、小さな間隔ＡＢが設けられている。これにより、基体２０は窪み２１の領域で、かつ補償エレメントＡＧ１は窪み形に形成された凹状の部分２５の領域で、円形コームシャフト１５の外周面に完全に当て付けられることが達成される。補償エレメントＡＧ１の外側輪廓Ｋは、基体２０のリブＲ１，Ｒ４の外側輪廓に接続し、これにより円形コームＲの閉じられた（段部のない）周面が形成される。したがって、円形コームＲの外側の形状により、不都合な空気循環が生じ得ないことが達成される。さらに、円形コームの周面領域における汚染物（繊維くず）の付着は十分に阻止される。
【００３７】
基体２０および補償エレメントＡＧ１を円形コームシャフト１５（単に「シャフト」とも呼称される）に取り付けるために、シャフト１５は、円形コームＲの幅Ｂにわたって見て、複数の貫通孔２７を備えている。これらの貫通孔２７を通ってねじＳ３が貫通する。各ねじＳ３のねじヘッドは、補償エレメントＡＧ１に設けられた凹設部２６内に載置される。さらに、補償エレメントＡＧ１には、貫通孔２８が設けられている。この貫通孔２８は、シャフト１５に設けられた貫通孔２７と整合する。各ねじＳ３の端部は、ねじ山３０を有している。このねじ山３０は、基体２０の窪み２１の領域に設けられたねじ山付き孔３１内に突入する。ねじＳ３を締め、ねじ山付き孔３１内に捩じ込むことで、基体２０と補償エレメントＡＧ１とは互いに向かう方向に押圧されて、シャフト１５において、窪み２１と窪み形に形成された部分２５とを介してシャフト１５に固く緊締される。
【００３８】
図３に概略的に破線で示してあるように、補償エレメントＡＧ１は、長手方向溝を備えていてよい。この長手方向溝は、キーを使用することで、シャフト１５内の、向かい合って位置する長手方向溝と共に、キー・溝結合部３３を形成する。このキー・溝結合部３３を介して、補償エレメントＡＧ１、ひいては基体２０の角度位置を正確に維持することができる。したがって、コーミングセグメントＧの所定の角度位置を、ニッパユニット１の相当する位置に対して正確に確定することが保証され得る。
【００３９】
同様に図３から判るように、ねじＳ３を有するこのような複数のねじ締結部が、円形コームＲの幅Ｂにわたって配置されている。したがって、基体２０と、補償ウェイトＡＧ１とは、均等にかつ円形コームＲの全幅Ｂにわたってシャフト１５に載置されるか、もしくは支持されることが保証される。
【００４０】
簡略的に図３から判るように、補償エレメントＡＧ１は、別の貫通孔３４および凹設部３５を備えている。これらの貫通孔３４および凹設部３５を通ってねじＳ２が貫通する。各ねじの端部は、ねじ山を備えている。これらのねじ山は、シャフト１５に設けられたねじ山付き孔３６内で終わっている。ねじ山付き孔３６は、貫通しておらず、シャフト１５の直径の一部にわたってのみ延びている。ねじＳ２によるこの付加的なねじ締結部は、シャフト１５における補償ウェイトＡＧ１の独立した取付けを可能にする。つまり、基体２０および該基体２０に取り付けられたコーミング針布Ｇは、シャフト１５からのねじＳ３の取外し後に完全に取り除くことができるのに対して、補償ウェイトＡＧ１は、ねじ締結部Ｓ２を介して未だシャフト１５に取り付けられている。このことは、コーミング針布Ｇを有する基体２０の簡単かつ迅速な交換を可能にし、その際に補償エレメントＡＧ１を同様に取り外す必要はない。
【００４１】
基体２０の両端面には、それぞれ１つのカバー３８，３９が簡略的に示されたねじ結合部４０を介して取り付けられている。これによって、特に基体２０の中空スペースＨ１〜Ｈ３を外部から遮断することができる。これらのカバー３８，３９は、軽量の材料（プラスチック）から製造されていてよい。なぜならば、カバー３８，３９は、基体２０の中空スペース内への汚染物（浮遊繊維）の侵入を阻止するという課題しか有していないからである。
【００４２】
図４に示した別の実施の形態では、図２に示した形態の変化形が示されている。この場合、基体２０は、図２に示した形態に対して付加的なリブＲ５，Ｒ６を有している。これらのリブＲ５，Ｒ６により、安定性を高めるために、三角形の中空スペースＨ１，Ｈ２，Ｈ３，Ｈ５およびＨ６が形成される。窪み２１の領域で、基体２０は貫通孔４２を備えている。この貫通孔４２を通ってねじＳ３が貫通する。各ねじＳ３の端部は、ねじ山３０を備えている。このねじ山３０は、装入部材４６に設けられたねじ山付き孔４５内に突入する。装入部材４６は、凹設部４４内で、その位置を基体２０に関して保持されている。装入部材４６は、基体２０よりも高い強度（比重）を有していて、これによりねじＳ３の引っ張り力によるねじ山４５の変形は阻止される。この変形のリスクは、ねじ山３０が、比重の軽い材料から形成され得る基体２０に直接に設けられている場合に生じ得る。
【００４３】
図４ａは、図４に示した形態にほぼ一致する別の形態を示している。この実施の形態は、単に位置決めねじもしくは合わせねじ（Passschraube：ダウエル部分を有するねじ）Ｓ３ａの使用によってのみ異なっている。この合わせねじＳ３ａを介して、円形コームシャフト１５における基体２０および補償ウェイトＡＧ１の角度位置は、正確に位置固定され得る。合わせねじＳ３ａの使用により、図３に示し説明したキー・溝結合部３３による位置固定は省略され得る。つまり、図３に示したねじＳ３のうちの１つのねじＳ３が、合わせねじＳ３ａに置き換えられている。残りのねじＳ３（図３）は、図４に示されているように貫通孔２８，２７および４２を貫通する。これらの貫通孔２８，２７，４２の直径は、貫通するねじ軸部の直径よりもいくらか大きく形成されている。
【００４４】
合わせねじＳ３ａの領域で、補償ウェイトＡＧ１は位置決め孔もしくは合わせ孔（Passbohrung）４８を有し、円形コームシャフト１５は合わせ孔４９を有し、基体２０は合わせ孔５０を有している。これらの合わせ孔内にねじ軸部５２が収容され、これらの合わせ孔と遊びのない嵌合を形成する。
【００４５】
合わせねじＳ３ａのねじヘッド５１は、補償ウェイトＡＧ１に設けられた凹設部２６内に載置されている。合わせねじＳ３ａの端部は、ねじ山付きピン５３を備えている。このねじ山付きピン５３は、（たとえば図４に示した例のように）装入部材４６に設けられたねじ山付き孔４５内に突入する。
【００４６】
図５（図５ａ）に示したさらに別の実施の形態は、円形コームＲの１形態を示している。この円形コームＲの基体２０は、その外側の部分２３の周面Ｕの領域に、所定の高さｈを有する段部Ａ１を備えている。これに対応して、この周面Ｕに取り付けられたコーミング針布Ｇ（通常は互いに隣り合って平行に延びる複数の針布ストリップから成っている）は、同様に段部Ｚ１を有している。この段部Ｚ１の寸法設計は、段部Ａ１に対応しており、かつこの段部Ａ１に向かい合って位置している。段部Ａ１／Ｚ１の領域は、特に図５ａに示した拡大した部分図に詳しく示されている。
【００４７】
コーミング針布Ｇの第１の区分Ｇ１は、小さな歯たけｔ２を有する第２の部分Ｇ２の細かい歯列に比べて、大きな歯たけｔ１を備える粗い歯列を有している。図５ａから判るように、第２の部分Ｇ２が接続する第１の部分Ｇ１は、段部Ａ１の領域で終端している。
【００４８】
基体２０の外側の部分２３の部分２３ｂ（図５）の厚みｄ２は、図４および図４ａに示した外側の部分２３の厚みｄにほぼ一致する。しかし、コーミング針布Ｇの第１の部分Ｇ１の領域にある部分２３ａの厚みｄ１は、コーミング針布Ｇの第２の部分Ｇ２の領域における部分２３ｂの厚みｄ２よりも小さく形成されている。したがって、基体２０の外側の部分２３の部分２３ａにおける質量の減少を達成することができ、これにより円形コームの質量慣性モーメントは全体的に減じられる。このことは、臨界的な範囲を上回ることなしに、回転数をさらに増大することを可能にする。
【００４９】
図５に示した手段により、針布の存在する歯たけに応じて基体２０の最適化された構成が得られる。針布の構成に応じて、１つよりも多い段付け部（段部）を基体２０の周面Ｕに設けることも考え得る。
【００５０】
自明ではあるが、本発明の枠内で別の実施形態も可能である。
【図１】
0005984812.tif 000002
【図２】
0005984812.tif 000003
【図３】
0005984812.tif 000004
【図４】
0005984812.tif 000005
【図４ａ】
0005984812.tif 000006
【図５】
0005984812.tif 000007
【図５ａ】
0005984812.tif 000008